(57)【特許請求の範囲】
【請求項１】
回線に接続された後、交換機から送信されてくる発信音が継続しているオン時間及び途絶えているオフ時間をそれぞれ検出して発信音の検定を行い、オフ時間が予め設定したオフ設定値以上である場合には発呼を中止し、オフ時間が前記オフ設定値以下であるならば検定を続行し、所定の検定時間に達したとき発呼動作に入る発呼検定方法において、
発呼検定前に、前記オフ設定値としてルーティングトーンのオフ時間より短い第１のオフ設定値を設定し、
発信音の検定を開始してルーティングトーンのオン時間より長いオン時間が検出される前に、前記第１のオフ設定値を超えたオフ時間が検出されると発呼動作を中止し、
ルーティングトーンのオン時間より長いオン時間が検出されると、前記オフ設定値を瞬断と判断されるオフ時間より長く、かつ前記第１のオフ設定値より長い第２のオフ設定値に更新することを特徴とする発信音検定方法。
【請求項２】
回線に接続された後、交換機から送信されてくる発信音が継続しているオン時間及び途絶えているオフ時間をそれぞれ検出し発信音の検定を行い、オフ時間が予め設定したオフ設定値以上である場合には発呼を中止し、オフ時間が前記オフ設定値以下であるならば検定を続行し、所定の検定時間に達したとき発呼動作に入るファクシミリ装置において、
ルーティングトーンのオフ時間より短い第１のオフ設定値と、
ルーティングトーンのオン時間より長いオン設定値と、
瞬断と判断されるオフ時間より長く、かつ、前記第１のオフ設定値より長い第２のオフ設定値とを記憶する記憶手段と、
発呼検定前は前記オフ設定値として前記第１のオフ設定値を設定し、
発信音の検定を開始してオン時間と前記オン設定値とを比較してオン時間が前記オン設定値を超えたとき前記オフ設定値を前記第２のオフ設定値に更新するオフ設定値更新手段とを備えたことを特徴とするファクシミリ装置。
【発明の詳細な説明】
【０００１】
【発明の属する技術分野】
本発明はファクシミリ装置に関する。
【０００２】
【従来の技術】
一般に、ファクシミリ装置で原稿内容を送信する場合、原稿をファクシミリ装置の原稿台にセットし、受話器を上げ、相手先の番号を入力し、相手先を呼び出した後、スタ−トボタンを押下すると、回線との接続は電話機からファクシミリ装置に切換えられ、交換機から発信音（ダイヤルト−ン）がファクシミリ装置に送信されてくる。
【０００３】
ファクシミリ装置は発信音の継続時間を検定し、デ−タ送信可能の条件である所定の時間経過したのち発呼動作に入り、原稿内容を相手先に送信する。
【０００４】
ファクシミリ装置は交換機から受信した発信音をモデムのト−ン検出器により、１（発信音が継続している）、０（発信音が途絶えている）の信号に変換し、図示せぬレジスタに格納して発信音の継続時間を中央処理装置（以後ＣＰＵと記す）にて検定している。
【０００５】
ＣＰＵは発信音が継続しているオン時間、途絶えているオフ時間を検定し、オフ時間が予め設定した比較値であるオフ設定値以下ならば検定を続行し、オン時間が所定の検定時間に達したとき発呼動作に入る。オフ時間がオフ設定値を越えたならば、検定をやり直す。
【０００６】
ところで諸外国には、回線が混んでくると、交換機が所定のオン時間及びオフ時間、例えば、５０ｍｓのオン時間及びオフ時間を繰り返すル−ティングト−ンという発信音をダイヤルト−ンの代わりに送信し、ファクシミリ装置が発呼動作に入れないようにしている。ル−ティングト−ンはト−ン検出器から出力されるときには、規格レベル−１０〜−２７ｄＢｍに応じてオン時間は６４〜９０ｍｓとなり、オフ時間は１０〜３６ｍｓとなる。
【０００７】
また、諸外国には交換機から出力される発信音が１秒間継続した後、３０ｍｓを越えるオフ時間が発生した場合には発呼動作に入ってはならないとする瞬断規格がある。オフ時間３０ｍｓがト−ン検出器から出力されるときには、規格レベル−１０〜−２７ｄＢｍに応じて、オフ時間は０〜３５ｍｓとなる。
【０００８】
【発明が解決しようとする課題】
従来のファクシミリ装置にあっては、交換機から発信音を受信して検定を開始し、オフ時間がオフ設定値以下ならば検定を続行するので、オフ設定値を瞬断規格のオフ時間０〜３５ｍｓを少し越えた４０ｍｓとし、瞬断規格のオフ時間０〜３５ｍｓに対しては検定を続行して発呼動作に入るようにすると、ル−ティングト−ンのオフ時間１０〜３６ｍｓに対しても検定を続行するので所定の検定時間に達したとき発呼動作に入ってしまうという問題点があった。
【０００９】
本発明は交換機からの発信音のオフ時間が瞬断規格内の場合には発呼動作に入り、発信音がル−ティングト−ンの場合には発呼動作に入らないようにしたファクシミリ装置を提供することを目的としている。
【００１０】
【課題を解決するための手段】
上記目的を達成するために、交換機から送信されてくる発信音が継続しているオン時間及び途絶えているオフ時間をそれぞれ検出し発信音の検定を行い、オフ時間が予め設定したオフ設定値以上である場合には発呼を中止し、オフ時間が前記オフ設定値以下であるならば検定を続行し、所定の検定時間に達したとき発呼動作に入るファクシミリ装置において、ルーティングトーンのオフ時間より短い第１のオフ設定値と、ルーティングトーンのオン時間より長いオン設定値と、瞬断と判断されるオフ時間より長く、かつ、第１のオフ設定値より長い第２のオフ設定値とを記憶する記憶手段と、発呼検定前はオフ設定値として第１のオフ設定値を設定し、発信音の検定を開始してオン時間とオン設定値とを比較してオン時間がオン設定値を超えたときオフ設定値を第２のオフ設定値に更新するオフ設定値更新手段とを備える。
【００１１】
【発明の実施の形態】
本発明の実施の形態について図面を参照しながら説明する。尚、各図面に共通な要素には同一符号を付す。
図１は実施の形態による本発明の要部を示すブロック図である。ファクシミリ装置１と電話機２とは、ネットワ−クコントロ−ルユニット３（以後ＮＣＵ３と記す）の切替スイッチ４を介して回線５に接続される。
【００１２】
ファクシミリ装置１は中央処理装置６（以後ＣＰＵ６と記す）、メモリ７、モデム８を有する。モデム８には回線５を通じて送信されてくるアナログ信号をデジタル信号に変換し、発信音が継続している場合にはレジスタ９に１を格納し、発信音が途絶えている場合にはレジスタ９に０を格納するト−ン検出器１０が設けてある。
【００１３】
メモリ７には、検定を開始して最初のオン時間と比較するオン設定値１１、オフ時間と比較するオフ設定値１２、オフ設定値１２を更新する際の第２のオフ設定値１３、検定を開始してから発呼動作に入るまでの時間である検定値１４が格納されてある。
【００１４】
ＣＰＵ６にはオフ時間更新手段１５、検定中止手段１６、発呼手段１７、タイマ１８が設けてある。タイマ１８にはオン時間を計測するタイマ１８ａとオフ時間を計測するタイマ１８ｂとがあり、オン時間を計測するタイマ１８ａは検定開始時にスタ−トし、オフ時間を計測するタイマ１８ｂはレジスタ９に０が格納される毎にリセットされる。
【００１５】
オフ時間更新手段１５はト−ン検出器１０のレジスタ９に１が格納されているとき、オン時間を計測するタイマ１８ａの出力とメモリ７のオン設定値１１とを比較してタイマ１８ａの出力がオン設定値１１に達したときオフ設定値１２を第２のオフ設定値１３に更新する。
【００１６】
検定中止手段１６はト−ン検出器１０のレジスタ９に０が格納されているとき、オフ時間を計測するタイマ１８ｂの出力とメモリ７のオフ設定値１２とを比較してタイマ１８ｂの出力がオフ設定値１２に達したとき検定を中止する。
【００１７】
発呼手段１７はタイマ１８ａの出力とメモリ７の検定値１４と比較してタイマ１８ａの出力が検定値１４に達したとき発呼動作に入る。
【００１８】
図２はモデムのト−ン検出器から出力されるル−ティングト−ンの波形図である。ル−ティングト−ンの仕様ではオン時間、オフ時間はそれぞれ５０ｍｓであるがト−ン検出器から出力されるときには規格レベル−１０〜−２７ｄＢｍに応じてオン時間は６４〜９０ｍｓとなり、オフ時間は１０〜３６ｍｓとなる。
【００１９】
図３はモデムのト−ン検出器から出力される瞬断の波形図である。諸外国の瞬断の仕様では交換機から出力される発信音のオン時間が１秒間継続した後、３０ｍｓのオフ時間が発生した場合を瞬断としているがト−ン検出器から出力されるときには規格レベル−１０〜−２７ｄＢｍに応じてオフ時間は０〜３５ｍｓとなる。
【００２０】
図４は実施の形態による本発明の動作を示すフロ−チャ−トである。
【００２１】
ステップＳ1 でＣＰＵ６は、原稿がファクシミリ装置の原稿台にセットされ、電話機２の受話器を上げ、相手先の番号を入力し、相手先を呼び出した後、図示せぬスタ−トボタンが押下されたか否かをセンスしている。
【００２２】
ステップＳ2 でＣＰＵ６は、ＮＣＵ３が切替スイッチ４を切り替え、回線５との接続が電話機２からファクシミリ装置１に切換えられ、図示せぬ交換機から発信音がファクシミリ装置１に送信されてきたか否かをセンスしている。
【００２３】
ステップＳ3 でＣＰＵ６は、発信音の検定を開始し、メモリ７のオフ設定値１２、検定値１４には、例えば５ｍｓ、２秒をセットする。また、オン設定値１１、第２のオフ設定値１３にそれぞれ、例えばル−ティングト−ンのオン時間より長く、瞬断規格のオン時間１秒より短い１４０ｍｓ、瞬断規格のオフ時間０〜３５ｍｓを少し越えた４０ｍｓをセットする。
【００２４】
ステップＳ4 でＣＰＵ６は、ト−ン検出器１０のレジスタ９に１が格納されているオン時間をタイマ１８ａによりチェックし、オン時間が１４０ｍｓに達した達した場合にはステップＳ5 に分岐し、否の場合にはステップＳ9 に分岐する。ステップＳ5 でＣＰＵ６は、第２のオフ設定値１３を読み出してオフ設定値１２を５ｍｓから４０ｍｓに更新する。
【００２５】
ステップＳ6 でＣＰＵ６は、ト−ン検出器１０のレジスタ９に０が格納されているオフ時間をタイマ１８ｂによりチェックし、オフ時間が４０ｍｓを越えた場合にはステップＳ1 に分岐し、否の場合にはステップＳ7 に分岐する。
【００２６】
ステップＳ7 でＣＰＵ６は、オン時間が２秒に達したか否かをタイマ１８ａによりチェックし、２秒に達した場合には、ステップＳ8 に分岐し、ステップＳ8 で発呼動作に移る。オン時間が２秒に達しなかった場合にはステップＳ6 に分岐する。
【００２７】
また、ステップＳ4 からステップＳ9 に分岐した場合にＣＰＵ６は、オフ時間が５ｍｓを越えたか否かをタイマ１８ｂによりチェックし、越えた場合にはステップＳ1 に分岐し、否の場合にはステップＳ10に分岐する。
【００２８】
ステップＳ10でＣＰＵ６は、オン時間が２秒に達したか否かをタイマ１８ａによりチェックし、オン時間が２秒に達した場合には、ステップＳ8 に分岐し、否の場合にはステップＳ4 に分岐する。
【００２９】
即ち、オン時間が２秒間継続した場合には発信音はダイヤルト−ンであると判定して発呼動作に移り、原稿内容を相手先に送信する。オン時間が１４０ｍｓに達する前にオフ時間が５ｍｓを越えた場合には、ステップＳ1 に戻って検定をやり直す。
【００３０】
また、オン時間が１４０ｍｓに達し、オフ設定値１２を５ｍｓから４０ｍｓに更新したのち、オフ時間が４０ｍｓを越えた場合には、ステップＳ1 に戻って検定をやり直す。
【００３１】
発信音がル−ティングト−ンであれば、最初のオン時間は図２に示したように、ト−ン検出器から出力されるときにはオン時間は６４〜９０ｍｓであるから、１４０ｍｓより短く、オフ時間は１０〜３６ｍｓであるから、５ｍｓより長いので検定のやり直しに入り、発呼動作に移ることはない。
【００３２】
また、瞬断規格に対しては、最初のオン時間は１４０ｍｓを越えた１秒経過しているので、オフ時間は瞬断のオフ時間０〜３５ｍｓより長い４０ｍｓに更新されており、瞬断規格内のオフ時間０〜３５ｍｓ以下であれば検定を続行し、オン時間が２秒間継続した後に発呼動作に移り、原稿内容を相手先に送信する。
【００３３】
従って、交換機から受信した発信音がル−ティングト−ンであれば発呼動作に入らず、発信音のオフ時間が瞬断規格内の場合には発呼動作に入る。
【００３４】
【発明の効果】
本発明は、以上説明したように構成されているので以下に記載される効果を奏する。
交換機から送信されてくる発信音が継続しているオン時間及び途絶えているオフ時間をそれぞれ検出し発信音の検定を行い、オフ時間が予め設定したオフ設定値以上である場合には発呼を中止し、オフ時間が前記オフ設定値以下であるならば検定を続行し、所定の検定時間に達したとき発呼動作に入るファクシミリ装置において、ルーティングトーンのオフ時間より短い第１のオフ設定値と、ルーティングトーンのオン時間より長いオン設定値と、瞬断と判断されるオフ時間より長く、かつ、第１のオフ設定値より長い第２のオフ設定値とを記憶する記憶手段と、発呼検定前はオフ設定値として第１のオフ設定値を設定し、発信音の検定を開始してオン時間とオン設定値とを比較してオン時間がオン設定値を超えたときオフ設定値を第２のオフ設定値に更新するオフ設定値更新手段とを備えたことにより、発信音のオフ時間が瞬断規格内の場合には発呼動作に入り、発信音がルーティングトーンの場合には発呼動作に入らないようにできる。
【図面の簡単な説明】
【図１】実施の形態による本発明の要部を示すブロック図である。
【図２】モデムのト−ン検出器から出力されるル−ティングト−ンの波形図である。
【図３】モデムのト−ン検出器から出力される瞬断の波形図である。
【図４】実施の形態による本発明の動作を示すフロ−チャ−トである。
【符号の説明】
１  ファクシミリ装置
３  ＮＣＵ
６  ＣＰＵ
７  メモリ
８  モデム
１０  ト−ン検出器
【図１】
0003679927.tif 000002
【図２】
0003679927.tif 000003
【図３】
0003679927.tif 000004
【図４】
0003679927.tif 000005